(57)【要約】【課題】ポリ袋のような薄膜でできている製品の装着脱が容易でしかも保持力に優れた薄膜ホルダーを提供する。【解決手段】両方向に回転できるローラーと片方向だけ回転できるローラーを持つプレートどうしをローラーが接する状態に保ち、ローラーの転がり摩擦と接触摩擦により薄膜のホルダーへの装着および取り外しを容易しかも確実に行われるようにした。【選択図】      図１
2005343594.tif 000002
【特許請求の範囲】
【請求項１】
両方向に回転できるローラーが取り付けられたプレートと片方向だけ回転できるローラーが取り付けられたプレートを互いのローラーが接するように組み立てられた構造に、前記ローラーどうしが自由に回転できる方向より薄膜等を折り返して差込み、両方向に回転できるローラー面に接した薄膜等は容易に引抜が行えるが片方向だけ回転できるローラー面に接した薄膜等は引抜が行えない機構を特徴とする薄膜ホルダー。
【請求項２】
前記請求項1の両方向に回転できるローラーの代わりに接触摩擦係数の小さい材料をプレートに取り付け、前記材料を取り付けた部分を片方向だけ回転できるローラーと接するようにプレートどうしを組み立てた薄膜ホルダー。
【発明の詳細な説明】
【技術分野】
【０００１】
本発明は、ポリエチレン製シートのような薄くて軽い薄膜を壁面に取り付け取り外しが簡単にできる薄膜ホルダーに関するものである。
【背景技術】
【０００２】
ところで、ポリ袋のような薄膜でできている製品を壁面や流し台、或いはシンク内壁等に吊着する場合、狭持保持が大半であった。
【０００３】
この狭持保持は保持力を高めれば、ポリ袋のような薄膜でできている製品端部が狭持部に挿入されにくくて使い勝手が悪く、また挿入されやすくすれば保持力の低下が起こる欠点があった。
【特許文献１】特開２００４−０７５２８６
【発明の開示】
【発明が解決しようとする課題】
【０００４】
ポリ袋のような薄膜でできている製品を上記のように壁面や流し台、或いはシンク内壁等に吊着する場合、袋を保持する形態として装着のし易さと保持力は相反するという欠点があった。
【０００５】
本発明は、上記した問題点を解消し、ポリ袋のような薄膜でできている製品の装着脱が容易でしかも保持力に優れた薄膜ホルダーを提供することを目的としている。
【課題を解決するための手段】
【０００６】
すなわち、請求項１に記載の本発明は、両方向に回転できるローラーが取り付けられたプレートと片方向だけ回転できるローラーが取り付けられたプレートを互いのローラーが接するように組み立てられた構造に、前記ローラーどうしが自由に回転できる方向より薄膜等を折り返して差込み、両方向に回転できるローラー面に接したフイルム等は容易に引抜が行えるが、片方向だけ回転できるローラー面に接した薄膜等は引抜が行えないようになっている。  
【０００７】
これは今までの装着脱および保持の形態が、接触摩擦係数と狭持圧力によって発生する力で保持する方法から、表面の接触摩擦係数が大きなローラを用いて、取り付け時は差込により、両ローラーの転がり摩擦で行う。薄膜の保持は片方向だけ回転できるローラーが固定されるために、ローラー表面の大きな接触摩擦係数と狭持圧力によって発生する力で保持する。薄膜の引き抜きによる取り外しは両方向に回転できるローラーと接した薄膜等の転がり摩擦と薄膜どうしの小さな接触摩擦係数と狭持圧力によって発生する力に抗して行われるため、狭持力を大きくとっても薄膜どうしの小さな接触摩擦係数により、今までの形態に比べてポリ袋等はホルダーに対して容易に取り付け取り外しができる。
【０００８】
また、請求項２に記載の本発明は、取り付け時は差込により、ローラーの転がり摩擦と接触摩擦係数の小さい材料表面の接触摩擦係数と狭持圧力によって発生する力に抗して行なわれ、保持は請求項1の保持と同じ、また引き抜きによる取り外しはプレートの接触摩擦係数の小さい材料表面の接触摩擦係数と狭持圧力によって発生する力および薄膜どうしの摩擦係数と狭持圧力によって発生する力に抗して行われるため薄膜等はホルダーに対して容易に取り外しができる
【発明の効果】
【０００９】
以上説明したように、本発明の薄膜ホルダーは、プレートに取り付けられたローラーの転がり摩擦を利用し、取り付けは差し込み易くし、また薄膜の引き抜きによる取り外しはローラーの転がり摩擦と薄膜どうしの接触摩擦に抗して行われる。
【００１０】
つまり、表面摩擦係数の大きなローラーを用いて、また接触摩擦係数の小さい薄膜であれば、差込と引抜はローラーの転がり摩擦と薄膜の接触摩擦に抗して行われるために、狭持力を大きくして薄膜のローラーによる保持力を大きくしても、差込、引き抜きが容易に行えることとなる。
【発明の実施するための最良の形態】
【００１１】
薄膜のホルダーへの装着および取り外しを、転がり摩擦と接触摩擦をうまく利用して容易しかも確実に行われるようにした。
【実施例１】
【００１２】
以下図１、図２、図３によって本発明の一実施形態を説明する。    図１は本発明に係る薄膜ホルダーの外観図、図２は薄膜ホルダーの使用形態を示す壁面に取り付けた側面図で、図３は薄膜ホルダーに薄膜を取り付けから引抜きまでの動作を詳細に示す。
【００１３】
図２に示すように薄膜ホルダーは各々プラスチック製プレート２、４に取り付けられた摩擦係数が大きな表面を持つローラー３，５をローラーどうしで接するように組み立てられ、図１のように両サイドは薄膜を差込むための開放部分を持つようになっていて、プレートどうしは底部で固着されている。また、図１および２に示すように壁面への取り付けはプレート２の背面で壁面に取り付けるための吸盤１が付いている。
【００１４】
ローラー３は両方向に回転でき、ローラー５は差し込み方向には回転できるが、その逆の引き抜き方向には回転できない仕組みになっている。
図３の１は折り返した薄膜を上からホルダーに差し込む状態を示している。
図３の２は薄膜の右端が引っ張られたときの保持状態を示している。
図３の３は薄膜をホルダーから取り外す際、薄膜の左端部を引き抜いている状態を示している。
【００１５】
薄膜ホルダーに薄膜を取り付けるには図２に示すように薄膜を折り返し薄膜ホルダーに差し込む。
図２および図３の１に示すようにローラー３，５は両ローラー共、差し込み方向には回転することができるので、折り返した薄膜は容易に差し込むことができる。
【００１６】
薄膜端の折り返しの部分が十分にローラーから下に入り込んだ状態から、図３の２に示すようにローラー５は差し込み方向には回転できるが、その逆の引き抜き方向には回転できないためローラー５と接する薄膜端７には接触摩擦が起こり、摩擦係数が大きなローラーにより薄膜端７は引き抜くことができない。
【００１７】
しかし、両方向に回転できるローラー３に接する薄膜端６は転がり摩擦により引き抜くことができる仕組みである。
【００１８】
このほか、図３の２，３の状態には薄膜どうしの接触摩擦も発生するが、通常この摩擦係数はローラーとの接触による摩擦係数よりはるかに小さいため、上記の現象は可能となる。
【００１９】
以上説明したように、本発明の薄膜ホルダーは、薄膜を壁面に取り付け取り外しが簡単にできる。
【産業上の利用可能性】
【００２０】
ゴミ箱にこの薄膜ホルダーを数個取り付け、薄膜でできているポリ袋をつければ、１つのゴミ箱で数種類の分別収納が可能となる。またに台所のシンクなどの壁面にこの薄膜ホルダーを取り付けてポリ袋等を吊るせばスペースを有効に使うことができる。
【図面の簡単な説明】
【００２１】
【図１】本発明に係る薄膜ホルダーの外観図。
【図２】同、薄膜ホルダーの使用形態を示す壁面に取り付けた側面図。
【図３】薄膜ホルダーに薄膜を取り付けから引抜きまでの動作を示す図。
【符号の説明】
【００２２】
１  吸盤
２  プレート
３  両方向に回転できるローラー
４  プレート
５  差込方向にのみ回転できるローラー
６  ローラー３に接する薄膜端
７  ローラー５と接する薄膜端
【図１】
2005343594.tif 000003
【図２】
2005343594.tif 000004
【図３】
2005343594.tif 000005